(57)【特許請求の範囲】
【請求項１】
バイトをホールドするためのバイトホルダにおいて、
収容溝が設置される第１の当接部と、前記第１の当接部と接続し、前記第１の当接部とともに６０°以上１２０°以下の夾角が定められ、中心軸が前記収容溝の延出方向と平行である収納孔が設置される第２の当接部と、中心軸が前記収容溝の前記延出方向と垂直である嵌合位置決め孔と、を含むベースと、
前記収納孔と対応する締嵌孔と、前記収容溝に取り外し可能に嵌め込まれ、凹部が設置され、前記収容溝に嵌め込まれる場合、前記凹部と前記嵌合位置決め孔とが対応して連通する嵌合部と、を含む挟み基盤と、前記挟み基盤の前記締嵌孔及び前記第２の当接部の前記収納孔に対応して締まり嵌められる締嵌管と、前記締嵌管と同軸であり、前記バイトをホールドするためのホールド孔と、を含むバイト収納部材と、を含み、前記ベースの前記第１の当接部と前記第２の当接部との間に組み立てられるバイト基盤と、
前記嵌合位置決め孔内に移動可能に設けられ、前記嵌合部の前記凹部に接触して緊迫力を付与することに用いられ、一端に第１のネジ孔が設けられる嵌合位置決め部材と、
前記嵌合位置決め孔内に位置制限されて設けられ、前記第１のネジ孔とロックする第１のねじ山部を有し、前記嵌合位置決め部材を前記嵌合位置決め孔内で変位するように連動して、前記嵌合位置決め部材と前記嵌合部の前記凹部との緊迫程度を変える嵌合引取部材と、
を備え、
前記位置決め孔は、前記収容溝を連通するように前記ベースを貫通し、
前記嵌合位置決め部材は、その断面積が前記嵌合位置決め部材の延出方向に沿って漸進的に変化するバイトホルダ。
【請求項２】
前記ベースは、前記収納孔と連通する固定ネジ孔を更に含み、
前記固定ネジ孔に締め付けられ、前記バイト収納部材の前記締嵌管に押し当て固定することに用いられるラッチを更に備える請求項１に記載のバイトホルダ。
【請求項３】
前記嵌合位置決め孔は、第１の縮径部を含み、前記嵌合位置決め部材が前記第１の縮径部の片側に設けられ、
前記嵌合引取部材は、前記第１のねじ山部と接続し、横断面積が前記第１の縮径部の横断面積より大きく、前記第１の縮径部の他側に位置する第１の位置制限部を更に含み、前記第１のねじ山部が前記第１の縮径部を通して前記嵌合位置決め部材の前記第１のネジ孔とロックする請求項１に記載のバイトホルダ。
【請求項４】
前記第２の当接部と前記第１の当接部により定められた前記夾角が９０°に等しい請求項１に記載のバイトホルダ。
【請求項５】
前記嵌合位置決め部材は、前記嵌合位置決め部材の外面に形成され、前記嵌合部の前記凹部に接触して緊迫力を付与する第１の傾斜面を更に含む請求項１に記載のバイトホルダ。
【請求項６】
前記嵌合部の前記凹部は、第２の傾斜面を含み、前記嵌合位置決め部材の前記第１の傾斜面が前記第２の傾斜面に接触して緊迫力を付与する請求項５に記載のバイトホルダ。
【請求項７】
バイトをホールドするためのバイトホルダにおいて、
収容溝が設置される第１の当接部と、前記第１の当接部と接続し、前記第１の当接部とともに６０°以上１２０°以下の夾角が定められ、中心軸が前記収容溝の延出方向と平行である収納孔が設置される第２の当接部と、中心軸が前記収容溝の前記延出方向と垂直である嵌合位置決め孔と、を含むベースと、
前記収容溝に取り外し可能に嵌め込まれ、凹部が設置され、前記収容溝に嵌め込まれる場合、前記凹部と前記嵌合位置決め孔とが対応して連通する嵌合部と、前記第２の当接部の前記収納孔に対応して締まり嵌められる締嵌管と、前記締嵌管と同軸であり、前記バイトをホールドするためのホールド孔と、を含み、前記ベースの前記第１の当接部と前記第２の当接部との間に組み立てられるバイト基盤と、
前記嵌合位置決め孔内に移動可能に設けられ、前記嵌合部の前記凹部に接触して緊迫力を付与することに用いられ、一端に第１のネジ孔が設けられる嵌合位置決め部材と、
前記嵌合位置決め孔内に位置制限されて設けられ、前記嵌合位置決め部材の前記第１のネジ孔とロックする第１のねじ山部を有し、前記嵌合位置決め部材を前記嵌合位置決め孔内で変位するように連動して、前記嵌合位置決め部材と前記嵌合部の前記凹部との緊迫程度を変える嵌合引取部材と、
を備え、
前記嵌合位置決め孔は、前記収容溝を連通するように前記ベースを貫通し、
前記嵌合位置決め部材は、その断面積が前記嵌合位置決め部材の延出方向に沿って漸進的に変化するバイトホルダ。
【請求項８】
前記ベースは、前記収納孔と連通する固定ネジ孔を更に含み、
前記バイトホルダは、前記固定ネジ孔に締め付けられ、前記バイト基盤の前記締嵌管に押し当て固定することに用いられるラッチを更に備える請求項７に記載のバイトホルダ。
【請求項９】
前記ベースは、前記収納孔と連通するように前記ベースを貫通し、中心軸が前記収納孔の中心軸と垂直である管部位置決め孔を更に含み、
前記バイト基盤の前記締嵌管に凹み部が設置され、前記締嵌管が前記収納孔に締まり嵌められる場合、前記凹み部と前記管部位置決め孔とが対応して連通し、
前記バイトホルダは、前記管部位置決め孔内に移動可能に設けられ、前記締嵌管の前記凹み部に接触して緊迫力を付与することに用いられ、一端に第２のネジ孔が設けられる管部位置決め部材を更に備え、
前記管部位置決め部材は、その断面積が前記管部位置決め部材の延出方向に沿って漸進的に変化し、
前記バイトホルダは、前記管部位置決め孔内に位置制限されて設けられ、前記管部位置決め部材の前記第２のネジ孔とロックする第２のねじ山部を有し、前記管部位置決め部材を前記管部位置決め孔内で変位するように連動して、前記管部位置決め部材と前記締嵌管の前記凹み部との緊迫程度を変える管部引取部材を更に備える請求項７に記載のバイトホルダ。
【請求項１０】
前記嵌合位置決め部材は、前記嵌合位置決め部材の外面に形成され、前記嵌合部の前記凹部に接触して緊迫力を付与する第１の傾斜面を更に含み、
前記管部位置決め部材は、前記管部位置決め部材の外面に形成され、前記締嵌管の前記凹み部に接触して緊迫力を付与する第３の傾斜面を含む請求項９に記載のバイトホルダ。
【請求項１１】
前記嵌合部の前記凹部は、第２の傾斜面を含み、前記嵌合位置決め部材の前記第１の傾斜面が前記第２の傾斜面に接触して緊迫力を付与し、
前記締嵌管の前記凹み部は、第４の傾斜面を含み、前記管部位置決め部材の前記第３の傾斜面が前記第４の傾斜面に接触して緊迫力を付与する請求項１０に記載のバイトホルダ。
【請求項１２】
前記第２の当接部と前記第１の当接部により定められた前記夾角が９０°に等しい請求項７に記載のバイトホルダ。
【請求項１３】
バイトをホールドするためのバイトホルダにおいて、
収納孔と、中心軸が前記収納孔の中心軸と垂直である管部位置決め孔と、を含むベースと、
前記収納孔に対応して締まり嵌められ、凹み部が設置される締嵌管と、前記締嵌管と同軸であり、前記バイトをホールドするためのホールド孔と、を含み、前記ベースに組み立てられるバイト基盤と、
前記管部位置決め孔内に移動可能に設けられ、前記締嵌管の前記凹み部に接触して緊迫力を付与することに用いられ、一端に第２のネジ孔が設けられる管部位置決め部材と、
前記管部位置決め孔内に位置制限されて設けられ、前記管部位置決め部材の前記第２のネジ孔とロックする第２のねじ山部を有し、前記管部位置決め部材を前記管部位置決め孔内で変位するように連動して、前記管部位置決め部材と前記締嵌管の前記凹み部との緊迫程度を変える管部引取部材と、を備え、
前記管部位置決め孔は、前記収納孔と連通するように前記ベースを貫通し、
前記締嵌管が前記収納孔に締まり嵌められる場合、前記凹み部と前記管部位置決め孔とが対応して連通し、
前記管部位置決め部材は、その断面積が前記管部位置決め部材の延出方向に沿って漸進的に変化するバイトホルダ。
【請求項１４】
前記管部位置決め部材は、前記管部位置決め部材の外面に形成され、前記締嵌管の前記凹み部に接触して緊迫力を付与する第３の傾斜面を含む請求項１３に記載のバイトホルダ。
【請求項１５】
前記締嵌管の前記凹み部は、第４の傾斜面を含み、前記管部位置決め部材の前記第３の傾斜面が前記第４の傾斜面に接触して緊迫力を付与する請求項１４に記載のバイトホルダ。
【請求項１６】
前記ベースは、間隔をあけて前記ベースに設けられ、それぞれ前記収納孔と連通するように前記ベースを貫通し、それぞれの中心軸が前記収納孔の中心軸と垂直である２つの管部位置決め孔を含み、
前記締嵌管に２つの凹み部が設置され、前記締嵌管が前記収納孔に締まり嵌められる場合、前記２つの凹み部がそれぞれ前記２つの管部位置決め孔と対応して連通し、
前記バイトホルダは、それぞれ前記２つの管部位置決め孔内に移動可能に設けられ、それぞれ前記締嵌管の前記２つの凹み部に接触して緊迫力を付与することに用いられる２つの管部位置決め部材を含み、
前記バイトホルダは、それぞれ前記２つの管部位置決め孔内に位置制限されて設けられる２つの管部引取部材を含む請求項１３に記載のバイトホルダ。
【発明の詳細な説明】
【技術分野】
【０００１】
本発明は、バイトホルダに関し、特に、路面の切削機、各種のロータリ式掘削装置又は研削工具に取り付けられるバイトホルダに関する。
【背景技術】
【０００２】
バイトホルダは、バイトを搭載して、平削・ドリル器具のような路面の表面粗さ処理に用いられる器具に取り付けられて、路面の切削、粉砕、穴あけ等の路面の表面粗さ処理、又は鉱物の掘採を行うためのものである。
【０００３】
従来のバイトホルダは、器具の作動部材（例えば、ロール）の外周面に固設されるベースと、バイトを搭載することに用いられる且つ係合素子によってベースに係合され固設されるバイト基盤と、を含む。被加工物（例えば、路面のセメント、ピッチ）に対してドリル・平削の作用力を容易に施すために、このバイトは、ベースと接線の角度を構成するように、バイト基盤に取り付けられる必要がある。平削・ドリル器具で加工を行う場合、まずバイトで被加工物に圧力を加えて押す動作を行って、続いて作動部材の回転に伴って、バイトで被加工物に対して平削の動作を行うことによって、被加工物を破壊する目的を達成する。
【０００４】
しかしながら、一般的に、被加工物が強固な構造を有するため、バイトで被加工物を加工する時の反力は、バイトに作用するので、バイトの寿命はかなり限られる。また、バイト基盤とベースとの間の組立関係が十分に安定でなければ、バイト基盤は、前記反力によりベースと互に衝突しやすくなり、更に損耗して、バイト基盤とベースの寿命が短くなり、交換とメンテナンスによるコストの増加が大きくなる。
【発明の概要】
【発明が解決しようとする課題】
【０００５】
このため、如何にベースとバイト基盤との間の組立安定度を高めて、ベースとバイト基盤の反力に対する荷重値を高め、更に、ベースとバイト基盤の寿命を延長し、交換とメンテナンスのコストを下げるかは、業界ではいつまでも求められる目標の一つである。
【０００６】
本発明の一目的は、嵌合位置決め孔を含むベースと、嵌合部を含むバイト基盤と、断面積がその延出方向に沿って漸進的に変化し、嵌合引取部材により嵌合位置決め部材を嵌合位置決め孔内で変位するように連動して、嵌合位置決め部材と嵌合部との緊迫程度を変える嵌合位置決め部材と、嵌合引取部材と、を備えるバイトホルダを提供することにある。これにより、ベースとバイト基盤組立との安定度を高め、ベースとバイト基盤の反力に対する荷重値を高め、更にベースとバイト基盤の寿命を延長し、交換とメンテナンスのコストを下げることができる。  
【０００７】
本発明の別の目的は、管部位置決め孔を含むベースと、締嵌管を含むバイト基盤と、断面積がその延出方向に沿って漸進的に変化し、管部引取部材により管部位置決め部材を管部位置決め孔内で変位するように連動して、管部位置決め部材と締嵌管との緊迫程度を変える管部位置決め部材と、管部引取部材と、を備えるバイトホルダを提供することにある。これにより、ベースとバイト基盤組立との安定度を高め、ベースとバイト基盤の反力に対する荷重値を高め、更にベースとバイト基盤の寿命を延長し、交換とメンテナンスのコストを下げることができる。
【課題を解決するための手段】
【０００８】
本発明の一態様によると、バイトをホールドするためのバイトホルダにおいて、ベースと、バイト基盤と、嵌合位置決め部材と、嵌合引取部材と、を備えるバイトホルダが提供される。
【０００９】
ベースは、収容溝が設置される第１の当接部と、第１の当接部と接続し、第１の当接部とともに６０°以上１２０°以下の夾角が定められ、中心軸が収容溝の延出方向と平行である収納孔が設置される第２の当接部と、収容溝と連通するようにベースを貫通し、中心軸が収容溝の延出方向と垂直である嵌合位置決め孔と、を含む。
【００１０】
バイト基盤は、収納孔と対応する締嵌孔と、収容溝に取り外し可能に嵌め込まれ、凹部が設置され、収容溝に嵌め込まれる場合、凹部が嵌合位置決め孔と対応して連通する嵌合部と、を含む挟み基盤と、挟み基盤の締嵌孔及び第２の当接部の収納孔に対応して締まり嵌められる締嵌管と、締嵌管と同軸であり、バイトをホールドするためのホールド孔と、を含むバイト収納部材と、を含み、ベースの第１の当接部と第２の当接部との間に組み立てられる。
【００１１】
嵌合位置決め部材は、嵌合位置決め孔内に移動可能に設けられ、嵌合部の凹部に接触して緊迫力を付与することに用いられ、一端に第１のネジ孔が設けられ、且つその断面積がその延出方向に沿って漸進的に変化する。
【００１２】
嵌合引取部材は、嵌合位置決め孔内に位置制限されて設けられ、第１のネジ孔とロックする第１のねじ山部を有し、嵌合位置決め部材を嵌合位置決め孔内で変位するように連動して、嵌合位置決め部材と嵌合部の凹部との緊迫程度を変える。
【００１３】
前記のバイトホルダによると、ベースは、収納孔と連通する固定ネジ孔を更に含んでもよく、バイトホルダは、固定ネジ孔に締め付けられ、固定バイト収納部材の締嵌管に押し当て固定するためのラッチを更に備えてもよい。
【００１４】
前記のバイトホルダによると、嵌合位置決め孔は、第１の縮径部を含んでもよく、嵌合位置決め部材が第１の縮径部の片側に設けられ、嵌合引取部材は、第１のねじ山部と接続し、横断面積が第１の縮径部の横断面積より大きく、第１の縮径部の他側に位置する第１の位置制限部を更に含んでもよく、第１のねじ山部が第１の縮径部を通して嵌合位置決め部材の第１のネジ孔とロックする。
【００１５】
前記のバイトホルダによると、前記第２の当接部と第１の当接部により定められた夾角が９０°に等しくてもよい。
【００１６】
前記のバイトホルダによると、嵌合位置決め部材は、嵌合位置決め部材の外面に形成され、嵌合部の凹部に接触して緊迫力を付与する第１の傾斜面を含んでもよい。嵌合部の凹部は、第２の傾斜面を含み、嵌合位置決め部材の第１の傾斜面が第２の傾斜面に接触して緊迫力を付与する。
【００１７】
本発明の別の態様によると、バイトをホールドするためのバイトホルダにおいて、ベースと、バイト基盤と、嵌合位置決め部材と、嵌合引取部材と、を備えるバイトホルダが提供される。
【００１８】
ベースは、収容溝が設置される第１の当接部と、第１の当接部と接続し、第１の当接部とともに６０°以上１２０°以下の夾角が定められ、中心軸が収容溝の延出方向と平行である収納孔が設置される第２の当接部と、収容溝と連通するようにベースを貫通し、嵌合位置決め孔の中心軸が収容溝の延出方向と垂直である嵌合位置決め孔と、を含む。
【００１９】
バイト基盤は、収容溝に取り外し可能に嵌め込まれ、凹部が設置され、収容溝に嵌め込まれる場合、凹部が嵌合位置決め孔と対応して連通する嵌合部と、第２の当接部の収納孔に対応して締まり嵌められる締嵌管と、締嵌管と同軸であり、バイトをホールドするためのホールド孔と、を含み、ベースの第１の当接部と第２の当接部との間に組み立てられる。
【００２０】
嵌合位置決め部材は、嵌合位置決め孔内に移動可能に設けられ、嵌合部の凹部に接触して緊迫力を付与することに用いられ、一端に第１のネジ孔が設けられ、且つその断面積がその延出方向に沿って漸進的に変化する。
【００２１】
嵌合引取部材は、嵌合位置決め孔内に位置制限されて設けられ、嵌合位置決め部材の第１のネジ孔とロックする第１のねじ山部を有し、嵌合位置決め部材を嵌合位置決め孔内で変位するように連動して、嵌合位置決め部材と嵌合部の凹部との緊迫程度を変える。
【００２２】
前記のバイトホルダによると、ベースは、収納孔と連通する固定ネジ孔を含んでもよい。バイトホルダは、固定ネジ孔に締め付けられ、バイト基盤の締嵌管に押し当て固定するためのラッチを備えてもよい。
【００２３】
前記のバイトホルダによると、ベースは、収納孔と連通するようにベースを貫通し、中心軸が収納孔の中心軸と垂直である管部位置決め孔を更に含んでもよい。バイト基盤の締嵌管に凹み部が設置されてもよく、締嵌管が収納孔に締まり嵌められる場合、凹み部と管部位置決め孔とが対応して連通する。バイトホルダは、管部位置決め孔内に移動可能に設けられ、締嵌管の凹み部に接触して緊迫力を付与することに用いられ、一端に第２のネジ孔が設けられ、且つその断面積がその延出方向に沿って漸進的に変化する管部位置決め部材を更に備えてもよい。バイトホルダは、管部位置決め孔内に位置制限されて設けられ、管部位置決め部材の第２のネジ孔とロックする第２のねじ山部を有し、管部位置決め部材を管部位置決め孔内で変位するように連動して、管部位置決め部材と締嵌管の凹み部との緊迫程度を変える管部引取部材を更に備えてもよい。
【００２４】
前記のバイトホルダによると、嵌合位置決め部材は、嵌合位置決め部材の外面に形成され、第１の傾斜面が嵌合部の凹部に接触して緊迫力を付与する第１の傾斜面を含んでもよい。管部位置決め部材は、管部位置決め部材の外面に形成され、締嵌管の凹み部に接触して緊迫力を付与する第３の傾斜面を更に含んでもよい。嵌合部の凹部は、第２の傾斜面を含んでもよく、嵌合位置決め部材の第１の傾斜面が第２の傾斜面に接触して緊迫力を付与し、締嵌管の凹み部は、第４の傾斜面を含んでもよく、管部位置決め部材の第３の傾斜面が第４の傾斜面に接触して緊迫力を付与する。
【００２５】
前記のバイトホルダによると、第２の当接部と第１の当接部により定められた夾角が９０°に等しい。
【００２６】
本発明のまた別の態様によると、バイトをホールドするためのバイトホルダにおいて、ベースと、バイト基盤と、管部位置決め部材と、管部引取部材と、を備えるバイトホルダが提供される。
【００２７】
ベースは、収納孔と、収納孔と連通するようにベースを貫通し、中心軸が収納孔の中心軸と垂直である管部位置決め孔と、を含む。
【００２８】
バイト基盤は、収納孔に対応して締まり嵌められ、凹み部が設置され、収納孔に締まり嵌められる場合、凹み部と管部位置決め孔とが対応して連通する締嵌管と、締嵌管と同軸であり、バイトをホールドするためのホールド孔と、を含み、ベースに組み立てられる。
【００２９】
管部位置決め部材は、管部位置決め孔内に移動可能に設けられ、締嵌管の凹み部に接触して緊迫力を付与することに用いられ、一端に第２のネジ孔が設けられ、且つその断面積がその延出方向に沿って漸進的に変化する。
【００３０】
管部引取部材は、管部位置決め孔内に位置制限されて設けられ、管部位置決め部材の第２のネジ孔とロックする第２のねじ山部を有し、管部位置決め部材を管部位置決め孔内で変位するように連動して、管部位置決め部材と締嵌管の凹み部との緊迫程度を変える。
【００３１】
前記のバイトホルダによると、管部位置決め部材は、管部位置決め部材の外面に形成され、締嵌管の凹み部に接触して緊迫力を付与する第３の傾斜面を更に含んでもよく、締嵌管の凹み部は、第４の傾斜面を含んでもよく、管部位置決め部材の第３の傾斜面が第４の傾斜面に接触して緊迫力を付与する。
【００３２】
前記のバイトホルダによると、ベースは、間隔をあけてベースに設けられ、それぞれ収納孔と連通するようにベースを貫通し、それぞれの中心軸が収納孔の中心軸と垂直である２つの管部位置決め孔を含んでもよい。締嵌管に２つの凹み部が設置されてもよく、締嵌管が収納孔に締まり嵌められる場合、前記２つの凹み部がそれぞれ前記２つの管部位置決め孔と対応して連通し、バイトホルダは、それぞれ前記２つの管部位置決め孔内に移動可能に設けられ、それぞれ締嵌管の２つの凹み部に接触して緊迫力を付与することに用いられる２つの管部位置決め部材を含んでもよく、バイトホルダは、それぞれ前記２つの管部位置決め孔内に位置制限されて設けられる２つの管部引取部材を含む。
【００３３】
下記図面の説明は、本発明の上記及び他の目的、特徴、メリット、実施例をより分かりやすくするためのものである。
【図面の簡単な説明】
【００３４】
【図１】本発明の第１の実施形態に係るバイトホルダを示す斜視図である。
【図２】図１に示したバイトホルダを示す分解図である。
【図３】図２に示した挟み基盤と嵌合位置決め部材を別の視角から示す分解図である。
【図４】図１に示したバイトホルダを切断線４‐４に沿って示す部分断面図である。
【図５】図１に示したバイトホルダを示す操作模式図である。
【図６】本発明の第２の実施形態に係るバイトホルダの挟み基盤と嵌合位置決め部材を示す分解図である。
【図７】本発明の第３の実施形態に係るバイトホルダを示す分解図である。
【図８】図７に示した挟み基盤と嵌合位置決め部材を示す組立図である。
【図９】本発明の第４の実施形態に係るバイトホルダのバイト基盤を示す斜視図である。
【図１０】本発明の第５の実施形態に係るバイトホルダを示す斜視図である。
【図１１】図１０に示したバイトホルダを示す分解図である。
【図１２】図１１に示したバイト基盤を示す側面図である。
【図１３】図１２に示したバイト基盤を示す背面図である。
【図１４】本発明の第６の実施形態に係るバイトホルダを示す斜視図である。
【図１５】図１４に示したバイトホルダを示す分解図である。
【図１６】本発明の第７の実施形態によるバイトホルダを示す斜視図である。
【図１７】図１６に示したバイトホルダを示す分解図である。
【発明を実施するための形態】
【００３５】
図１〜図３を参照されたい。図１は、本発明の第１の実施形態に係るバイトホルダ１００を示す斜視図である。図２は、図１に示したバイトホルダ１００を示す分解図である。図３は、図２に示した挟み基盤１３０と嵌合位置決め部材１５０を別の視角から示す分解図である。バイトホルダ１００は、バイトＢ（図５参照）をホールドすることに用いられる。バイトホルダ１００は、ベース１１０と、バイト基盤１２０と、ラッチ１１５と、嵌合位置決め部材１５０と、嵌合引取部材１６０と、を備える。バイト基盤１２０がベース１１０に組み立てられ、ラッチ１１５、嵌合位置決め部材１５０と嵌合引取部材１６０がベース１１０内に貫設される。
【００３６】
ベース１１０は、第１の当接部１１１と、第２の当接部１１２と、嵌合位置決め孔１１３と、固定ネジ孔１１４と、を含む。第１の当接部１１１と第２の当接部１１２とが接続し、且つ第１の当接部１１１と第２の当接部１１２により、６０°以上１２０°以下の夾角Ａ１が定められる。これにより、バイト基盤１２０とベース１１０との組立安定度の向上に寄与する。好ましくは、夾角Ａ１が９０°に等しい。第１の当接部１１１に収容溝１１１ａが設置され、第２の当接部１１２に収納孔１１２ａが設置され、収納孔１１２ａの中心軸（図示せず）が収容溝１１１ａの延出方向と平行である。嵌合位置決め孔１１３は、収容溝１１１ａと連通するようにベース１１０を貫通し、その中心軸（図示せず）が収容溝１１１ａの延出方向と垂直である。固定ネジ孔１１４が収納孔１１２ａと連通する。
【００３７】
バイト基盤１２０がベース１１０の第１の当接部１１１と第２の当接部１１２との間に組み立てられる。バイト基盤１２０は、挟み基盤１３０と、バイト収納部材１４０と、を含む。
【００３８】
挟み基盤１３０は、締嵌孔１３１と、嵌合部１３２と、を含む。嵌合部１３２に凹部１３３が設置される。締嵌孔１３１が収納孔１１２ａと対応し、嵌合部１３２が収容溝１１１ａに取り外し可能に嵌め込まれる。嵌合部１３２が収容溝１１１ａに嵌め込まれる場合、凹部１３３と嵌合位置決め孔１１３とが対応して連通する。
【００３９】
バイト収納部材１４０は、締嵌管１４１と、ホールド孔１４２と、を含む。締嵌管１４１とホールド孔１４２とが同軸であり、締嵌管１４１が挟み基盤１３０の締嵌孔１３１及び第２の当接部１１２の収納孔１１２ａに対応して締まり嵌められる。ホールド孔１４２は、バイトＢ（図５参照）をホールドすることに用いられる。
【００４０】
ラッチ１１５の外面にねじ山が設けられる。このねじ山により、ラッチ１１５は、バイト収納部材１４０の締嵌管１４１に押し当て固定するように、固定ネジ孔１１４内に締め付けられる。本発明の一実施例によると、バイト収納部材１４０の締嵌管１４１に、ラッチ１１５と対応する位置決め凹部（図９に示した位置決め凹部４４１ａ参照）が設置されてもよい。これにより、ラッチ１１５の締嵌管１４１に対する押当固定効果を向上させ、更に、ベース１１０とバイト収納部材１４０との間の組立安定度を向上させることができる。
【００４１】
嵌合位置決め部材１５０は、嵌合位置決め孔１１３内に移動可能に設けられており、嵌合部１３２の凹部１３３に接触して緊迫力を付与することに用いられる。嵌合位置決め部材１５０の一端に第１のネジ孔１５１が設けられる。本実施例において、第１のネジ孔１５１は、嵌合位置決め部材１５０を貫通した貫通穴構造であるが、他の実施例において、嵌合位置決め部材１５０を貫通しなくてもよい。第１の傾斜面１５２が嵌合位置決め部材１５０の外面に形成される。これにより、嵌合位置決め部材１５０の断面積がその延出方向に沿って漸進的に変化し、且つ嵌合位置決め部材１５０が第１の傾斜面１５２で嵌合部１３２の凹部１３３に接触して緊迫力を付与する。
【００４２】
嵌合引取部材１６０が嵌合位置決め孔１１３内に位置制限されて設けられる。嵌合引取部材１６０は、第１のねじ山部１６１と第１の位置制限部１６２を有する。第１の位置制限部１６２は、第１のねじ山部１６１と接続し、その横断面積が第１のねじ山部１６１の横断面積より大きい。
【００４３】
図１に示したバイトホルダ１００を切断線４‐４に沿って示す部分断面図である図４を同時に参照されたい。ベース１１０の嵌合位置決め孔１１３が第１の縮径部１１３ａを含み、嵌合位置決め部材１５０が第１の縮径部１１３ａの片側に設けられ、嵌合引取部材１６０の第１の位置制限部１６２が第１の縮径部１１３ａの他側に設けられる。嵌合引取部材１６０の第１のねじ山部１６１が第１の縮径部１１３ａを通して嵌合位置決め部材１５０の第１のネジ孔１５１とロックし、第１の位置制限部１６２の横断面積が第１の縮径部１１３ａの横断面積より大きい。これにより、第１の位置制限部１６２が第１の縮径部１１３ａの他側へ変位しないように防止することができ、嵌合引取部材１６０を位置制限することができる。また、第１のねじ山部１６１と第１のネジ孔１５１とのロック関係によって、嵌合引取部材１６０により嵌合位置決め部材１５０を嵌合位置決め孔１１３内で変位するように連動して、嵌合位置決め部材１５０と嵌合部１３２の凹部１３３との緊迫程度を変えることができる。
【００４４】
以上から分かるように、嵌合位置決め部材１５０と嵌合部１３２の凹部１３３との緊迫関係によって、ベース１１０とバイト基盤１２０との間に緩みにならないように効果的にすることができるため、ベース１１０及びバイト基盤１２０の反力に対する荷重値を向上させ、更にベース１１０とバイト基盤１２０との寿命を延長し、交換とメンテナンスのコストを下げることができる。また、嵌合引取部材１６０の第１のねじ山部１６１と嵌合位置決め部材１５０の第１のネジ孔１５１とのロック関係によって、ユーザは、嵌合引取部材１６０を回転だけで嵌合位置決め部材１５０とベース１１０及びバイト基盤１２０との緊迫程度を正確に調整することができる。そのため、本発明のバイトホルダ１００は、更に、操作しやすく、高精度調整等のメリットを有する。
【００４５】
図１に示したバイトホルダ１００を示す操作模式図である図５を参照されたい。バイトホルダ１００は、バイトＢを収納するように、道路路面の表面粗さ処理用の器具９００に取り付けられ、バイトＢによって道路路面等の加工物を加工し、ベース１１０とバイト基盤１２０との組立安定度を高めることで、ベース１１０とバイト基盤１２０との寿命を効果的に延長し、交換とメンテナンスのコストを下げることができる。
【００４６】
本発明の第２の実施形態に係るバイトホルダの挟み基盤２３０と嵌合位置決め部材２５０を示す分解図である図６を参照されたい。第２の実施例において、挟み基盤２３０は、締嵌孔２３１と、嵌合部２３２と、を含む。嵌合部２３２に凹部２３３が設置される。凹部２３３は、第２の傾斜面２３３ａを含む。嵌合位置決め部材２５０は、第１のネジ孔２５１と第１の傾斜面２５２を含む。挟み基盤２３０とベース（図示せず）とを組み立てる場合、嵌合位置決め部材２５０の第１の傾斜面２５２が凹部２３３の第２の傾斜面２３３ａに接触して緊迫力を付与する。これにより、第１の傾斜面２５２と凹部２３３との接触面積を向上させ、嵌合位置決め部材２５０と凹部２３３との緊迫程度を増やすことができる。第２の実施例の他の実施形態については、第１の実施例と同じであるので、ここで詳しく説明しない。
【００４７】
図７と図８を参照されたい。図７は、本発明の第３の実施形態に係るバイトホルダ３００を示す分解図である。図８は、図７に示した挟み基盤３３０と嵌合位置決め部材３５０を示す組立図である。バイトホルダ３００は、ベース３１０と、バイト基盤３２０と、ラッチ３１５と、嵌合位置決め部材３５０と、嵌合引取部材３６０と、を備える。バイト基盤３２０がベース３１０に組み立てられ、ラッチ３１５、嵌合位置決め部材３５０と嵌合引取部材３６０がベース３１０内に貫設される。
【００４８】
ベース３１０は、第１の当接部３１１と、第２の当接部３１２と、嵌合位置決め孔３１３と、固定ネジ孔３１４と、を含む。第１の当接部３１１と第２の当接部３１２とが接続し、且つ第１の当接部３１１と第２の当接部３１２により、６０°以上１２０°以下の夾角Ａ１が定められる。これにより、バイト基盤３２０とベース３１０との組立安定度の向上に寄与する。好ましくは、夾角Ａ１が９０°に等しい。第１の当接部３１１に収容溝３１１ａが設置され、第２の当接部３１２に収納孔３１２ａが設置され、収納孔３１２ａの中心軸（図示せず）が収容溝３１１ａの延出方向と平行である。嵌合位置決め孔３１３は、収容溝３１１ａと連通するようにベース３１０を貫通し、その中心軸（図示せず）が収容溝３１１ａの延出方向と垂直である。固定ネジ孔３１４が収納孔３１２ａと連通する。
【００４９】
バイト基盤３２０がベース３１０の第１の当接部３１１と第２の当接部３１２との間に組み立てられる。バイト基盤３２０は、挟み基盤３３０と、バイト収納部材３４０と、を含む。
【００５０】
挟み基盤３３０は、締嵌孔３３１と、嵌合部３３２と、を含む。嵌合部３３２に凹部３３３が設置される。凹部３３３は、片側が屋根状であり、対称となるよう設けられた２つの第２の傾斜面３３３ａを有する。
【００５１】
バイト収納部材３４０は、締嵌管３４１と、ホールド孔３４２と、を含む。締嵌管３４１とホールド孔３４２とが同軸であり、締嵌管３４１が挟み基盤３３０の締嵌孔３３１及び第２の当接部３１２の収納孔３１２ａに対応して締まり嵌められる。ホールド孔３４２は、バイト（図示せず）をホールドすることに用いられる。
【００５２】
ラッチ３１５の外面にねじ山が設けられる。このねじ山により、ラッチ３１５は、バイト収納部材３４０の締嵌管３４１に押し当て固定するように、固定ネジ孔３１４内に締め付けられる。
【００５３】
嵌合位置決め部材３５０は、嵌合位置決め孔３１３内に移動可能に設けられており、嵌合部３３２の凹部３３３に接触して緊迫力を付与することに用いられる。嵌合位置決め部材３５０の一端に第１のネジ孔３５１が設けられる。本実施例において、第１のネジ孔３５１は、嵌合位置決め部材３５０を貫通した貫通穴構造であるが、他の実施例において、嵌合位置決め部材３５０を貫通しなくてもよい。第１の傾斜面３５２が嵌合位置決め部材３５０の外面に形成される。これにより、嵌合位置決め部材３５０の断面積がその延出方向に沿って漸進的に変化し、且つ嵌合位置決め部材３５０が第１の傾斜面３５２で嵌合部３３２の凹部３３３の第２の傾斜面３３３ａに接触して緊迫力を付与する。
【００５４】
嵌合引取部材３６０が嵌合位置決め孔３１３内に位置制限されて設けられる。嵌合引取部材３６０は、第１のねじ山部３６１と第１の位置制限部３６２を有する。第１の位置制限部３６２は、第１のねじ山部３６１と接続する。嵌合引取部材３６０の第１のねじ山部３６１と嵌合位置決め部材３５０の第１のネジ孔３５１とのロックによって、嵌合引取部材３６０により嵌合位置決め部材３５０を嵌合位置決め孔３１３内で変位するように連動して、嵌合位置決め部材３５０と凹部３３３の第２の傾斜面３３３ａとの緊迫程度を変えることができる。
【００５５】
本発明の第４の実施形態に係るバイトホルダのバイト基盤４２０を示す斜視図である図９を参照されたい。第４の実施例において、バイト基盤４２０は、嵌合部４３２と、締嵌管４４１と、ホールド孔４４２と、を含む。嵌合部４３２に凹部４３３が設置され、締嵌管４４１に、ラッチ（図示せず）に対応する位置決め凹部４４１ａが設置される。これにより、ラッチの締嵌管４４１に対する押当固定効果を向上させることができる。第４の実施例のバイト基盤４２０は、挟み基盤とバイト収納部材に解体されない一体成形されたものであるので、構造上よりコンパクトである。第４の実施例の他の実施形態については、第１の実施例と同じであるので、ここで詳しく説明しない。
【００５６】
図１０と図１１を参照されたい。図１０は、本発明の第５の実施形態に係るバイトホルダ５００を示す斜視図である。図１１は、図１０に示したバイトホルダ５００を示す分解図である。バイトホルダ５００は、ベース５１０と、バイト基盤５２０と、嵌合位置決め部材５５０と、嵌合引取部材５６０と、管部位置決め部材５７０と、管部引取部材５８０と、を備える。バイト基盤５２０がベース５１０に組み立てられ、嵌合位置決め部材５５０、嵌合引取部材５６０、管部位置決め部材５７０と管部引取部材５８０がベース５１０内に貫設される。
【００５７】
ベース５１０は、第１の当接部５１１と、第２の当接部５１２と、嵌合位置決め孔５１３と、管部位置決め孔５１６と、を含む。第１の当接部５１１と第２の当接部５１２とが接続し、且つ第１の当接部５１１と第２の当接部５１２により、６０°以上１２０°以下の夾角Ａ１が定められる。これにより、バイト基盤５２０とベース５１０との組立安定度の向上に寄与する。好ましくは、夾角Ａ１が９０・に等しい。第１の当接部５１１に収容溝５１１ａが設置され、第２の当接部５１２に収納孔５１２ａが設置され、収納孔５１２ａの中心軸（図示せず）が収容溝５１１ａの延出方向と平行である。嵌合位置決め孔５１３は、収容溝５１１ａと連通するようにベース５１０を貫通し、その中心軸（図示せず）が収容溝５１１ａの延出方向と垂直である。管部位置決め孔５１６は、収納孔５１２ａと連通するようにベース５１０を貫通し、その中心軸が収納孔５１２ａの中心軸に垂直である。
【００５８】
バイト基盤５２０がベース５１０の第１の当接部５１１と第２の当接部５１２との間に組み立てられる。バイト基盤５２０は、嵌合部５３２、締嵌管５４１とホールド孔５４２を含む。ホールド孔５４２は、締嵌管５４１と同軸であり、バイト（図示せず）をホールドすることに用いられる。嵌合部５３２に凹部５３３が設置される。凹部５３３は、第２の傾斜面５３３ａを含む。締嵌管５４１に凹み部５４３が設置される。凹み部５４３は、第４の傾斜面５４３ａを含む。嵌合部５３２が収容溝５１１ａに取り外し可能に嵌め込まれる。嵌合部５３２が収容溝５１１ａに嵌め込まれ、締嵌管５４１が収納孔５１２ａに締まり嵌められる場合、凹部５３３と嵌合位置決め孔５１３とが対応して連通し、凹み部５４３と管部位置決め孔５１６とが対応して連通する。
【００５９】
嵌合位置決め部材５５０は、嵌合位置決め孔５１３内に移動可能に設けられており、嵌合位置決め部材５５０の一端に第１のネジ孔５５１が設けられる。本実施例において、第１のネジ孔５５１は、嵌合位置決め部材５５０を貫通した貫通穴構造であるが、他の実施例において、嵌合位置決め部材５５０を貫通しなくてもよい。第１の傾斜面５５２が嵌合位置決め部材５５０の外面に形成される。これにより、嵌合位置決め部材５５０の断面積がその延出方向に沿って漸進的に変化し、且つ嵌合位置決め部材５５０が第１の傾斜面５５２で嵌合部５３２の凹部５３３の第２の傾斜面５３３ａに接触して緊迫力を付与する。これにより、嵌合位置決め部材５５０と凹部５３３との接触面積を向上させ、嵌合位置決め部材５５０と凹部５３３との緊迫程度を増やすことができる。
【００６０】
管部位置決め部材５７０が管部位置決め孔５１６内に移動可能に設けられる。管部位置決め部材５７０の一端に第２のネジ孔５７１が設けられる。本実施例において、第２のネジ孔５７１は、管部位置決め部材５７０を貫通した貫通穴構造であるが、他の実施例において、管部位置決め部材５７０を貫通しなくてもよい。第３の傾斜面５７２が管部位置決め部材５７０の外面に形成される。これにより、管部位置決め部材５７０の断面積がその延出方向に沿って漸進的に変化し、且つ管部位置決め部材５７０が第３の傾斜面５７２で締嵌管５４１の凹み部５４３の第４の傾斜面５４３ａに接触して緊迫力を付与する。これにより、管部位置決め部材５７０と凹み部５４３との接触面積を向上させ、管部位置決め部材５７０と凹み部５４３との緊迫程度を増やすことができる。
【００６１】
嵌合引取部材５６０が嵌合位置決め孔５１３内に位置制限されて設けられる。嵌合引取部材５６０は、第１のねじ山部５６１と第１の位置制限部５６２を有する。第１の位置制限部５６２は、第１のねじ山部５６１と接続する。嵌合引取部材５６０の第１のねじ山部５６１と嵌合位置決め部材５５０の第１のネジ孔５５１とのロックによって、嵌合引取部材５６０により嵌合位置決め部材５５０を嵌合位置決め孔５３０内で変位するように連動して、嵌合位置決め部材５５０と凹部５３３の第２の傾斜面５３３ａとの緊迫程度を変えることができる。
【００６２】
管部引取部材５８０が管部位置決め孔５１６内に位置制限されて設けられる。管部引取部材５８０は、第２のねじ山部５８１と第２の位置制限部５８２を有する。第２の位置制限部５８２は、第２のねじ山部５８１と接続する。管部引取部材５８０の第２のねじ山部５８１と管部位置決め部材５７０の第２のネジ孔５７１とのロックよって、管部引取部材５８０により管部位置決め部材５７０を管部位置決め孔５１６内で変位するように連動して、管部位置決め部材５７０と凹み部５４３の第４の傾斜面５４３ａとの緊迫程度を変えることができる。
【００６３】
図１２と図１３を参照されたい。図１２は、図１１に示したバイト基盤５２０を示す側面図である。図１３は、図１２に示したバイト基盤５２０を示す背面図である。図１３と図１４から分かるように、本実施例において、第２の傾斜面５３３ａと第４の傾斜面５４３ａの何れも二重の斜面である。これにより、ベース５１０とバイト基盤５２０との組立安定度を更に高めることができる。具体的には、仮設の直交座標系に対して、第２の傾斜面５３３ａが第４の傾斜面５４３ａに平行ではなく、Ｘ‐Ｙ平面、Ｘ‐Ｚ平面とＹ‐Ｚ平面の何れにも垂直ではない。この仮設の直交座標系では、Z軸がバイトのバイト基盤５２０を送る方向により定義され、X軸が嵌合位置決め孔５１３の中心軸により定義され、Y軸がX軸とZ軸により定義される。本発明の一実施例によると、第２の傾斜面５３３ａとX軸との夾角Ａ２は、４°〜１０°であり、好ましくは、５°である。第４の傾斜面５４３ａとX軸との夾角Ａ３は、４°〜１０°であり、好ましくは、５°である。
【００６４】
図１４と図１５を参照されたい。図１４は、本発明の第６の実施形態に係るバイトホルダ６００を示す斜視図である。図１５は、図１４に示したバイトホルダ６００を示す分解図である。バイトホルダ６００は、バイト（図示せず）をホールドすることに用いられる。バイトホルダ６００は、ベース６１０と、バイト基盤６２０と、管部位置決め部材６７０と、管部引取部材６８０と、を備える。
【００６５】
ベース６１０は、収納孔６１２ａと、管部位置決め孔６１６と、を含む。管部位置決め孔６１６は、収納孔６１２ａと連通するようにベース６１０を貫通し、その中心軸が収納孔６１２ａの中心軸と垂直である。
【００６６】
バイト基盤６２０は、ベース６１０に組み立てられており、締嵌管６４１と、ホールド孔６４２と、を含む。ホールド孔６４２と締嵌管６４１とが同軸であり、バイトをホールドすることに用いられる。締嵌管６４１に凹み部６４３が設置される。凹み部６４３は、第４の傾斜面６４３ａを含む。締嵌管６４１が収納孔６１２ａに締まり嵌められる場合、凹み部６４３と管部位置決め孔６１６とが対応して連通する。
【００６７】
管部位置決め部材６７０が管部位置決め孔６１６内に移動可能に設けられる。管部位置決め部材６７０の一端に第２のネジ孔６７１が設けられる。本実施例において、第２のネジ孔６７１は、管部位置決め部材６７０を貫通した貫通穴構造であり、第３の傾斜面６７２が管部位置決め部材６７０の外面に形成される。これにより、管部位置決め部材６７０の断面積がその延出方向に沿って漸進的に変化し、且つ管部位置決め部材６７０が第３の傾斜面６７２で締嵌管６４１の凹み部６４３の第４の傾斜面６４３ａに接触して緊迫力を付与する。これにより、管部位置決め部材６７０と凹み部６４３との接触面積を向上させ、管部位置決め部材６７０と凹み部６４３との緊迫程度を増やすことができる。
【００６８】
管部引取部材６８０が管部位置決め孔６１６内に位置制限されて設けられる。管部引取部材６８０は、第２のねじ山部６８１と第２の位置制限部６８２を有する。第２の位置制限部６８２は、第２のねじ山部６８１と接続する。管部引取部材６８０の第２のねじ山部６８１と管部位置決め部材６７０の第２のネジ孔６７１とのロックによって、管部引取部材６８０により管部位置決め部材６７０を管部位置決め孔６１６内で変位するように連動して、管部位置決め部材６７０と凹み部６４３の第４の傾斜面６４３ａとの緊迫程度を変えることができる。
【００６９】
図１６と図１７を参照されたい。図１６は、本発明の第７の実施形態によるバイトホルダ７００を示す斜視図である。図１７は、図１６に示したバイトホルダ７００を示す分解図である。バイトホルダ７００は、ベース７１０と、バイト基盤７２０と、２つの管部位置決め部材７７０と、２つの管部引取部材７８０と、を備える。ベース７１０は、間隔をあけてベース７１０に設けられた２つの管部位置決め孔７１６を含む。バイト基盤７２０は、ホールド孔７４２と、締嵌管７４１と、を含む。締嵌管７４１には２つの凹み部７４３が設置される。各凹み部のそれぞれは、１つの第４の傾斜面７４３ａを含む。２つの管部位置決め部材７７０がそれぞれ２つの管部位置決め孔７１６の中に設けられる。各管部位置決め部材７７０のそれぞれは、１つの第２のネジ孔７７１と第３の傾斜面７７２を含む。２つの管部引取部材７８０がそれぞれ２つの管部位置決め孔７１６の中に位置制限されて設けられる。各管部引取部材７８０のそれぞれは、第２のねじ山部７８１と第２の位置制限部７８２を含む。管部位置決め部材７７０、管部引取部材７８０と凹み部７４３の数を増やすことで、ベース７１０とバイト基盤７２０との組立安定度を更に高めることができる。第７の実施例の他の実施形態については、第６の実施例と同じであるので、ここで詳しく説明しない。
【００７０】
上記実施形態から分かるように、嵌合引取部材により嵌合位置決め部材を嵌合位置決め孔内で変位するように連動することで、嵌合位置決め部材と嵌合部との緊迫程度を変えることができる。又は、管部引取部材により管部位置決め部材を管部位置決め孔内で変位するように連動することで、管部位置決め部材と締嵌管との緊迫程度を変えることができる。これにより、ベースとバイト基盤組立との安定度を高め、ベースとバイト基盤の反力に対する荷重値を高め、更にベースとバイト基盤の寿命を延長し、交換とメンテナンスのコストを下げることができる。
【００７１】
本発明では、各実施形態を前述の通り開示したが、これは本発明を限定するものではなく、当業者であれば、本発明の精神や範囲から逸脱せずに、多様の変更や修正を加えることができる。従って、本発明の保護範囲は、以下の請求の範囲で指定した内容を基準とする。
【符号の説明】
【００７２】
１００、３００、５００、６００、７００  バイトホルダ
１１０、３１０、５１０、６１０、７１０  ベース
１１１、３１１、５１１  第１の当接部
１１１ａ、３１１ａ、５１１ａ  収容溝
１１２、３１２、５１２  第２の当接部
１１２ａ、３１２ａ、５１２ａ、６１２ａ  収納孔
１１３、３１３、５１３  嵌合位置決め孔
１１３ａ  第１の縮径部
１１４、３１４  固定ネジ孔
１１５、３１５  ラッチ
１２０、３２０、４２０、５２０、６２０、７２０  バイト基盤
１３０、２３０、３３０  挟み基盤
１３１、２３１、３３１  締嵌孔
１３２、２３２、３３２、４３２、５３２  嵌合部
１３３、２３３、３３３、５３３  凹部
２３３ａ、３３３ａ、５３３ａ  第２の傾斜面
１４０、３４０  バイト収納部材
１４１、３４１、４４１、５４１、６４１、７４１  締嵌管
１４２、３４２、５４２、６４２、７４２  ホールド孔
１５０、２５０、３５０、５５０  嵌合位置決め部材
１５１、２５１、３５１、５５１  第１のネジ孔
１５２、２５２、３５２、５５２  第１の傾斜面
１６０、３６０、５６０  嵌合引取部材
１６１、３６１、５６１  第１のねじ山部
１６２、３６２、５６２  第１の位置制限部
４４１ａ  位置決め凹部
５１６、６１６、７１６  管部位置決め孔
５４３、６４３、７４３  凹み部
５４３ａ、６４３ａ、７４３ａ  第４の傾斜面
５７０、６７０、７７０  管部位置決め部材
５７１、６７１、７７１  第２のネジ孔
５７２、６７２、７７２  第３の傾斜面
５８０、６８０、７８０  管部引取部材
５８１、６８１、７８１  第２のねじ山部
５８２、６８２、７８２  第２の位置制限部
９００  器具
Ｂ  バイト
Ａ１、Ａ２、Ａ３  夾角
【図１】
0006355726.tif 000002
【図２】
0006355726.tif 000003
【図３】
0006355726.tif 000004
【図４】
0006355726.tif 000005
【図５】
0006355726.tif 000006
【図６】
0006355726.tif 000007
【図７】
0006355726.tif 000008
【図８】
0006355726.tif 000009
【図９】
0006355726.tif 000010
【図１０】
0006355726.tif 000011
【図１１】
0006355726.tif 000012
【図１２】
0006355726.tif 000013
【図１３】
0006355726.tif 000014
【図１４】
0006355726.tif 000015
【図１５】
0006355726.tif 000016
【図１６】
0006355726.tif 000017
【図１７】
0006355726.tif 000018